(57)【特許請求の範囲】
【請求項１】
特定の脱臭能を保有した脱臭観葉植物を、空気を浄化すべき室の床面積に占める前記脱臭観葉植物の所要面積がほぼ５％になるように設置し、前記特定の脱臭能を保有した脱臭観葉植物として、アンモニアの悪臭ガス浄化速度の速いテーブルヤシまたはガジュマルのいずれかを用いたことを特徴とする脱臭観葉植物を用いた空気浄化室。
【請求項２】
特定の脱臭能を保有した脱臭観葉植物を、空気を浄化すべき室の床面積に占める前記脱臭観葉植物の所要面積がほぼ５％になるように設置し、前記特定の脱臭能を保有した脱臭観葉植物として、アンモニア、メチルメルカプタン、および硫化水素の悪臭ガス浄化速度の速いガジュマルを用いたことを特徴とする脱臭観葉植物を用いた空気浄化室。
【請求項３】
室内に設置し、少なくとも吸込口および吹出口を備えて室内空気の浄化循環を行う空気清浄装置に、特定の脱臭能を保有した脱臭観葉植物を、空気流通経路に含まれるように設置し、前記特定の脱臭能を保有した脱臭観葉植物として、アンモニアの悪臭ガス浄化速度の速いテーブルヤシまたはガジュマルのいずれかを用いたことを特徴とする脱臭観葉植物を用いた空気清浄装置。
【請求項４】
室内に設置し、少なくとも吸込口および吹出口を備えて室内空気の浄化循環を行う空気清浄装置に、特定の脱臭能を保有した脱臭観葉植物を、空気流通経路に含まれるように設置し、前記特定の脱臭能を保有した脱臭観葉植物として、アンモニア、メチルメルカプタン、および硫化水素の悪臭ガス浄化速度の速いガジュマルを用いたことを特徴とする脱臭観葉植物を用いた空気清浄装置。
【発明の詳細な説明】
【０００１】
【産業上の利用分野】
本発明は、脱臭観葉植物を用いた空気清浄装置に係り、一般の脱臭装置や空気清浄装置に特定の脱臭能を保有した観葉植物を設置して脱臭効果を高めるのに好適な脱臭観葉植物を用いた空気清浄装置に関するものである。
【０００２】
【従来の技術】
従来、居室空間を浄化する脱臭装置や空気清浄装置に装着する植物は、インテリア性を付加する目的で用いられているため、その維持管理が容易であるということから、ポリエステルで作成された人工観葉植物が使用されていることが多かった。しかし、人工観葉植物は、自然の観葉植物と違い、脱臭機能の無いのはもちろん、当然植物の本来持つ光合成による空気の浄化効果（ＣＯ２を取り除きＯ２を放出）、ならびに蒸散作用による加湿効果を持っていない。また、心理的にどうしても造り物という目で見られ、インテリア性についても本物に比べて劣るものであった。
【０００３】
【発明が解決しようとする課題】
本発明は、上記従来技術に鑑みてなされたもので、本発明の目的は、室内にあって脱臭を行い、特に空気清浄装置等の脱臭効果を高めるとともに、インテリア性をも向上しうる脱臭観葉植物を用いた空気清浄装置を提供することにある。
【０００４】
【課題を解決するための手段】
上記目的を達成するために、本発明に係る脱臭観葉植物を用いた空気浄化室の構成は、特定の脱臭能を保有した脱臭観葉植物を、空気を浄化すべき室の床面積に占める前記脱臭観葉植物の所要面積がほぼ５％になるように設置し、前記特定の脱臭能を保有した脱臭観葉植物として、アンモニアの悪臭ガス浄化速度の速いテーブルヤシまたはガジュマルのいずれかを用いたものである。
また、本発明に係る脱臭観葉植物を用いた空気浄化室の構成は、特定の脱臭能を保有した脱臭観葉植物を、空気を浄化すべき室の床面積に占める前記脱臭観葉植物の所要面積がほぼ５％になるように設置し、前記特定の脱臭能を保有した脱臭観葉植物として、アンモニア、メチルメルカプタン、および硫化水素の悪臭ガス浄化速度の速いガジュマルを用いたものである。
【０００５】
また、上記目的を達成するために、本発明に係る脱臭観葉植物を用いた空気清浄装置の構成は、室内に設置し、少なくとも吸込口および吹出口を備えて室内空気の浄化循環を行う空気清浄装置に、特定の脱臭能を保有した脱臭観葉植物を、空気流通経路に含まれるように設置し、前記特定の脱臭能を保有した脱臭観葉植物として、アンモニアの悪臭ガス浄化速度の速いテーブルヤシまたはガジュマルのいずれかを用いたものである。
また、本発明に係る脱臭観葉植物を用いた空気清浄装置の構成は、室内に設置し、少なくとも吸込口および吹出口を備えて室内空気の浄化循環を行う空気清浄装置に、特定の脱臭能を保有した脱臭観葉植物を、空気流通経路に含まれるように設置し、前記特定の脱臭能を保有した脱臭観葉植物として、アンモニア、メチルメルカプタン、および硫化水素の悪臭ガス浄化速度の速いガジュマルを用いたものである。
【０００７】
【作用】
上記技術的手段によれば、脱臭装置や空気清浄装置に特定の脱臭能を保有した観葉植物を設置することで、装置等の脱臭効果を高めるとともに、インテリア性をも向上することができる。
また、脱臭観葉植物のみでも、室内に設置しておけば、当然脱臭を行うことができる。
【０００８】
【実施例】
まず、脱臭能を保有する観葉植物を選定した実験例を説明する。
脱臭能を保有する観葉植物を選定するために、代表的な悪臭ガスであるアンモニア（ＮＨ３）、メチルメルカプタン（ＣＨ３ＳＨ）、硫化水素（Ｈ２Ｓ）の３種のガスの浄化速度を１７種の観葉植物について測定した。その結果を表１に示した。
表１は、観葉植物単位乾重当りの悪臭ガス浄化速度の比較を示す。すなわち、観葉植物の乾燥重量１ｇ当りのガス吸収速度を定量的に比較するもので、実験条件は、温度が２８℃、照度が２０００ｌｕｘである。表中の数値は悪臭ガス浄化速度（ｍｇ／ｇＤ．Ｗ．・ｈｒ）である。
【０００９】
【表１】
0003559577.tif 000002
【００１０】
表１から明らかなように、ＮＨ３浄化速度の高い観葉植物はテーブルヤシとガジュマルで、測定した植物のＮＨ３浄化速度の平均値の２．５倍の値を示した。ガジュマルは、ＣＨ３ＳＨ、Ｈ２Ｓ浄化速度についても最も高く、測定した植物の、ＣＨ３ＳＨ，Ｈ２Ｓ浄化速度平均値のそれぞれ２．４倍，３．２倍の値を示した。
【００１１】
そこで、ＮＨ３、ＣＨ３ＳＨ、Ｈ２Ｓが臭気源となる室内、例えば、ペットショップ、病院の待合室、老人ホームの老人部屋等に設置してある脱臭装置、空気清浄装置に、ガジュマルやテーブルヤシを装着することによつて、脱臭効果およびインテリア性を高めることができる。
ガジュマルおよびテーブルヤシは、用土が乾いてから給水すればよいので維持管理が容易である。
【００１２】
次に、脱臭観葉植物を、空気を浄化すべき室に単に設置した例を説明する。
室内容積５０ｍ３のアンモニア濃度２ｐｐｍ（臭気強度３：らくに認知できるにおい）の部屋に、床面積（１６ｍ２）に占める脱臭観葉植物の所要面積がほぼ５％（所要面積０．８ｍ２、植物０．０８ｍ２／鉢のものを１０鉢）になるように、ガジュマルの鉢を設置した。
ガジュマルの脱臭能により、５．５時間後には室内を無臭化できた。
【００１３】
次に、脱臭観葉植物を、空気を浄化すべき室内に設置した空気清浄装置と組み合わせた例を図１を参照して説明する。
図１は、本発明の一実施例に係る脱臭装置の斜視図である。
図１において、１は、空気清浄装置に係る脱臭装置、２は吸込口、３は吹出口である。太い矢印は空気流を示す。脱臭装置１のユニット内には、図示しないが脱臭剤層、送風機等の機器が内蔵されている。
【００１４】
４は、脱臭装置１前面の吹出口３の下部に設けた脱臭観葉植物取付け用の鉢受け台、５は、脱臭観葉植物に係るガジュマルの鉢、６は、脱臭観葉植物に係るテーブルヤシの鉢である。すなわち、ガジュマルの鉢５およびテーブルヤシの鉢６は、室内空気の浄化循環を行う空気流通経路に含まれる位置に配置されている。
【００１５】
本実施例によれば、ガジュマルやテーブルヤシは、ＮＨ３、ＣＨ３ＳＨ、Ｈ２Ｓ等の悪臭に対する脱臭能を保有しているので、脱臭装置とこれらの脱臭観葉植物とを組み合わせることにより、室内の浄化時間を短縮することができ、また、脱臭装置にインテリア性を持たせることができる。
【００１６】
なお、本実施例では、脱臭装置の吹出口近傍にガジュマル、テーブルヤシの鉢を置いた例を示したが、本発明はこれに限定されるものではなく、空気清浄装置に係る空気調和機の室内ユニットと脱臭観葉植物とを組み合わせても同様の効果を得ることができる。
【００１７】
【発明の効果】
以上詳細に説明したように、本発明によれば、室内にあって脱臭を行い、特に空気清浄装置等の脱臭効果を高めるとともに、インテリア性をも向上しうる脱臭観葉植物を用いた空気清浄装置を提供することができる。
【図面の簡単な説明】
【図１】本発明の一実施例に係る脱臭装置の斜視図である。
【符号の説明】
１…脱臭装置、２…吸込口、３…吹出口、５…ガジュマルの鉢、６…テーブルヤシの鉢。
【図１】
0003559577.tif 000003